(57)【要約】【課題】生ごみの分解処理後の残渣排出の作業性を高めた生ごみ処理装置を提供する。【解決手段】生ごみ等の有機物を分解処理する処理槽２２と、前記処理槽を収容する本体と、前記処理槽内の有機物と担体を撹拌混合する撹拌手段２３と、前記処理槽内の処理物を前記撹拌手段による撹拌に伴ってオーバーフローさせる上部排出口３３と、前記本体に着脱可能に取り付けられると共に前記上部排出口３３に連通する流入口が形成されて上部排出口３３からオーバーフローする処理物を溜めるストッカー３５とを備え、前記ストッカー３５はその下部を前記本体２０に回動自在に支持すると共に、その支持部分はストッカーの重心より前方に位置するように構成したもので、ストッカー３５は本体側に倒れるようになり、処理槽からオーバーフローする残渣が多量に溜まってもストッカーは本体に安定して保持されることになる。【選択図】図１
2005205272.tif 000002
【特許請求の範囲】
【請求項１】
有機物を分解する微生物の担体を収納し、投入される生ごみ等の有機物を分解処理する処理槽と、前記処理槽を収容する本体と、前記処理槽内に投入される有機物と収納された担体を撹拌混合する撹拌手段と、前記処理槽内の処理物を前記撹拌手段による撹拌に伴ってオーバーフローさせる排出口と、前記排出口からオーバーフローする処理物を溜めるストッカーとを備え、前記ストッカーはその下部を前記本体に回動自在に支持すると共に、その支持部分はストッカーの重心より前方に位置するように構成した生ごみ処理装置。
【請求項２】
本体の外側一面に凹所を設け、この凹所の下部内面にストッカーの支持部を支持する軸受けを設け、この左右軸受けの間の下面を開放状態とした請求項１記載の生ごみ処理装置。
【請求項３】
ストッカーは蓋部材と箱部材の２部品で形成し、前記２部品をスライドさせて開閉する構成とした請求項１または２記載の生ごみ処理装置。
【請求項４】
ストッカーの蓋部材を透明部材で形成し、箱部材内部が目視確認できる請求項１〜３のいずれか１項に記載の生ごみ処理装置。
【請求項５】
ストッカーを構成する蓋部材と箱部材を前後方向に重ね合わせ縦長に配置した請求項１〜４のいずれか１項に記載の生ごみ処理装置。
【請求項６】
ストッカーは箱部材或いは蓋部材の少なくとも一方の底面を傾斜させた請求項１〜５のいずれか１項に記載の生ごみ処理装置。
【請求項７】
スライドさせて開閉するストッカーの開放位置を規制するストッパーを有する請求項１〜６のいずれか１項に記載の生ごみ処理装置。
【請求項８】
ストッカーを形成する蓋部材と箱部材の２部品を分離可能とした請求項１〜７のいずれか１項に記載の生ごみ処理装置。
【請求項９】
ストッカーを形成する蓋部材と箱部材の２部品両方に、把手を形成してなる請求項１〜８のいずれか１項に記載の生ごみ処理装置。
【請求項１０】
ストッカーを形成する蓋部材と箱部材を係止する爪をストッカーの把手部に一体に形成してなる請求項１〜８のいずれか１項に記載の生ごみ処理装置。
【発明の詳細な説明】
【技術分野】
【０００１】
本発明は主に家庭の台所で発生する生ごみを減量及び減容させる生ごみ処理装置に関するものである。
【背景技術】
【０００２】
従来、この種の生ごみ処理装置は生ごみを減量、減容している（例えば、特許文献１参照）。図５は、特許文献１に記載された従来の生ごみ処理装置を示すものである。
【０００３】
微生物（好気性）の生息場所となるおがくずや未分解の処理物等の微生物担体１を入れた微生物分解槽２と、投入された生ごみ３と微生物担体１とを混合、撹拌するための回転撹拌棒４及びその駆動装置(図示せず)を有し、投入された生ごみ３を微生物により最終的には二酸化炭素と水に分解し、生ごみ３を減量及び減容するもので、微生物分解槽２内の温度を適正に保つための加熱手段６、酸素（空気）を供給するための換気ファン７と吸気口８、それらの制御を行う制御手段（図示せず）を備え、微生物の働きにより生ごみを分解し減量及び減容する。
【０００４】
分解しきれない残渣は、分解槽２内に蓄積されるが撹拌棒４が回転する際に、オーバーフロー口９よりあふれ落ち、ストッカー１０に蓄積される。
【０００５】
ストッカー１０は満杯になれば取り外して、底部の開口部１１を開けて中身を廃棄するか肥料として活用するために別の容器に移す作業を行う。
【特許文献１】特開２００２−２３９５０３号公報
【発明の開示】
【発明が解決しようとする課題】
【０００６】
しかしながら、上記構成では、ストッカー１０はその重心がストッカー１０の下部を支持する支持部５ａより前方に位置するように装着してあり、そのため、ストッカー１０に多量の残渣が溜まるとストッカー１０には本体５から離反する方向の力が加わって不安定になる恐れがあった。
【０００７】
また上記構成では、ストッカー１０より中身を取り出す際、手を開口部１１に添えて開口させる作業が伴い、手が汚れる場合がある。また開口面積が小さく、ごみが出にくいなどの問題もあった。
【０００８】
本発明は上記課題を解決するもので、ストッカーを本体に安定的に保持させることが出来るようにすることを目的としたものである。
【課題を解決するための手段】
【０００９】
上記従来の課題を解決するために、本発明の生ごみ処理装置は、ストッカーの下部を本体に回動自在に支持すると共に、その支持部分はストッカーの重心より前方に位置する構成としてある。
【００１０】
これによって、ストッカーは本体側に倒れるようになり、残渣が多量に溜っても安定状態を維持できる。
【発明の効果】
【００１１】
本発明は、残渣が多量に溜ってもストッカーが外れることのない信頼性の高い生ごみ処理装置を提供することができる。
【発明を実施するための最良の形態】
【００１２】
第１の発明は、有機物を分解する微生物の担体を収納し、投入される生ごみ等の有機物を分解処理する処理槽と、前記処理槽を収容する本体と、前記処理槽内に投入される有機物と収納された担体を撹拌混合する撹拌手段と、前記処理槽内の処理物を前記撹拌手段による撹拌に伴ってオーバーフローさせる排出口と、前記排出口からオーバーフローする処理物を溜めるストッカーとを備え、前記ストッカーはその下部を前記本体に回動自在に支持すると共に、その支持部分はストッカーの重心より前方に位置するように構成したものである。
【００１３】
これによって、ストッカーは本体側に倒れるようになり、処理槽からオーバーフローする残渣が多量に溜まってもストッカーは生ごみ処理機本体側に傾く力がはたらくため本体に安定して装着されることになる。
【００１４】
第２の発明は、本体の外側一面に凹所を設け、この凹所の下部内面にストッカーの支持部を支持する軸受けを設け、この左右軸受けの間の下面を開放状態としたもので、ストッカーを外せば、本体側には、ストッカー下部に突出部がほとんどなくなるため、ごみたまりも少なく、清掃も容易になる。
【００１５】
第３の発明は、ストッカーを蓋部材と箱部材の２部品で形成し、前記２部品をスライドさせて開閉する構成にしたもので、蓋部材をスライドさせることによってストッカーを開口させることができ、手を汚さず容易に中身を排出することが出来るうえに、少ない構成部品で開口を大きく設定することができる。
【００１６】
第４の発明は、ストッカーの蓋部材を透明部材で形成し、箱部材内部が目視確認できるようにしたもので、ストッカーの蓄積量が容易にわかるため排出時期を的確に判断することができる。
【００１７】
第５の発明は、ストッカーを構成する蓋部材と箱部材を前後方向に重ね合わせ縦長に配置したもので、生ごみ処理機本体を小型にし、かつ蓄積量を確保できるので小型で長期蓄積できる生ごみ処理機を提供することができる。
【００１８】
第６の発明は、縦長に配置した箱部材或いは蓋部材の少なくとも一方の底面を傾斜させたもので、開口させたときに残渣をスムーズに排出させることができる。また排出残りも少なくなる。
【００１９】
第７の発明は、スライドさせて開閉するストッカーの開放位置を規制するストッパーを有するもので、排出に必要な開口面積が常に確保されるとともに、開きすぎてこぼれてしまうことも防止することができる。
【００２０】
第８の発明は、ストッカーを形成する蓋部材と箱部材の２部品は、分離可能としたもので、必要に応じ、分離して洗浄することができ、清潔に保つことができる。
【００２１】
第９の発明では、ストッカーを形成する蓋部材と箱部材の２部品両方に、把手を形成してなるもので、運搬作業が容易になるとともに、ストッカー開口時の開口作業がやりやすく手も汚れないで済むものである。
【００２２】
第１０の発明では、ストッカーを形成する蓋部材と箱部材を係止する爪をストッカー把手部に一体に形成してあるもので、蓋部材と箱部材の係止が確実に行われるとともに、把手部を持ちながら爪を解除できるため開口作業を容易に行うことができる。
【００２３】
（実施の形態１）
本発明の実施の形態１について、図１〜図４を用いてその作用効果と共に説明する。図１は本発明の実施の形態１における生ごみ処理装置の構成図を、図２は同生ごみ処理装置の斜視図を、図３(ａ)(ｂ)は同生ごみ処理装置のストッカーの斜視図を、図４は同ストッカーの要部の断面図を示す。
【００２４】
図１〜図４において、２０は本体、２１は本体２０内に設けた有底状の微生物分解処理部であり、処理槽２２と撹拌手段２３とから構成されている。撹拌手段２３は回転撹拌棒２４と駆動装置２５とから構成されている。２６は微生物の生息場所となるおがくずや未分解の処理物等の微生物担体である。そして、回転撹拌棒２４は投入された生ごみ２７と微生物担体２６とを混合、撹拌し、微生物担体２６に酸素（空気）を供給する。２８は処理槽２２内の温度を適正に保つための電気ヒータからなる加熱手段である。２９は処理槽２２の上部開口を覆う蓋で、ごみ投入時に開閉させるものであり、支点２９ａを中心に回動自在としてある。３０は処理槽２２の後面上部に設けた排気手段であり、換気ファン３１と排気口３２とから構成されている。３３は分解処理後の残渣がオーバーフローする排出口で、処理槽２２の側面左右２箇所に設けてあり、オーバーフローした残渣は、流入口３４が形成されたストッカー３５に蓄積される。
【００２５】
上記ストッカー３５は、本体２０の前面に設けた凹所２０ａに着脱自在に装着してある。すなわち、ストッカー３５の箱部材３７の下部両側には軸４５が形成されており、本体２０の凹所２０ａの下部内面に設けた軸受け４６に当接して着脱自在に係止される。軸４５の位置はストッカー３５の重心より前方に位置する構成としてあり、そのためストッカー３５には本体側に倒れる力が働き、残渣が多量に溜まっても本体２０に安定して装着されることになる。また、本体側は、軸受け４６の突出だけであり、ストッカー３５を外せばごみたまり部は無い状態になるため、清掃も容易である。更に箱部材３７の底部には、傾斜部４７が形成してあり、ストッカー３５の蓋部材３６をスライド開口させた時には、内部の残渣をスムーズに排出することができ、またごみ残りも少なくなる。なお、この傾斜部４７は蓋部材側に設けてあっても同様の効果が期待できる。
【００２６】
また、このストーカー３５は図３に示す如く透明の蓋部材３６と不透明の箱部材３７とで構成され、両側面に形成したガイド壁３８によって蓋部材３６が長手方向にスライドする構成としてある。ガイド壁３８にはストッパー３９が形成されており、箱部材３7の側面に設けられているストッパー部３７ａに当接することにより、蓋部材３６は、約１００ｍｍスライドして一旦停止する。さらに無理やり押すことによりストッパー部３７ａを乗り上げ、蓋部材３６と箱部材３７は分離して別々に清掃することもできる。
【００２７】
ストッカー３５は縦長に形成し、前後幅を小さくしているが、生ごみ処理機前面全体を覆う大きさに設定してあり、本体２０の前後長を抑えながら、長期蓄積できる残渣収納容積を確保できる構成としてある。蓄積状況については、蓋部材３６が透明であるため、容易に蓄積量を確認でき、排出時期を認知することができる。
【００２８】
４０は蓋部材３６と箱部材３７を係止する爪で、図４に示すように箱部材３７の把手４１部分に一体形成されており、指を掛けることにより、蓋部材３６の取っ手４２部分に一体形成した凹部４３から外れ、係止を解除することができる。この動作は、蓋部材３６の取っ手４２と箱部材３７の把手４１に手をかけたままで操作できるので、残渣に触れることなく、開口作業を行うことができ、手を汚さないで済む。
【産業上の利用可能性】
【００２９】
以上のように、本発明にかかる生ごみ処理装置は、残渣が多量に溜まってもストッカーが安定的に保持されることになるとともに、長年の使用によってストッカーの本体への係止が甘くなったとしてもストッカーが不用意に外れるようなことがなくなるなど、信頼性の高いものとなる。
【図面の簡単な説明】
【００３０】
【図１】本発明の実施の形態１における生ごみ処理装置の構成図
【図２】同生ごみ処理装置の斜視図
【図３】(ａ)同生ごみ処理装置ストッカーの前方側から見た斜視図(ｂ)同ストッカーの後方側から見た斜視図
【図４】同生ごみ処理装置のストッカーの要部断面図
【図５】従来の生ごみ処理装置の構成図
【符号の説明】
【００３１】
２０  本体
２１  微生物分解処理部
２２  処理槽
２３  撹拌手段
２５  駆動装置
２６  微生物担体
３３  排出口
３４  流入口
３５  ストッカー
３６  蓋部材
３７  箱部材
３８  ガイド壁
３９  ストッパー
４０  爪
４１  把手
４２  取っ手
４５  軸(支持部)
４６  軸受け
【図１】
2005205272.tif 000003
【図２】
2005205272.tif 000004
【図３】
2005205272.tif 000005
【図４】
2005205272.tif 000006
【図５】
2005205272.tif 000007